(57)【要約】【課題】外周面に亀裂の発生しにくいゴムクロ−ラを提供する。【解決手段】ラグ１２Ａ、１２Ｂの幅方向中央側の端部１３Ａ、１３Ｂはガイド突起１６の投影部分（図中破線部分）に重なっている。端部１３Ａ、１３Ｂが剛性の高いガイド突起１６の投影部分に重なっているため、スプロケット等に巻き掛けられた際に他の部分と比較して曲がりが少なく、端部１３Ａ、１３Ｂに歪みが集中することがない。これによりラグ１２Ａ、１２Ｂの端部１３Ａ、１３Ｂにおける亀裂の発生を防ぐことができる。【選択図】図２
2008265440.tif 000002
【特許請求の範囲】
【請求項１】
外周面に凸状のラグが周方向に第一列と第二列の２列にわたって同一ピッチで形成され、内周面には凸状のガイド突起が等間隔で設けられた無端状ゴム弾性体からなるゴムクローラであって、
前記ラグは前記ゴムクローラの幅方向中央を中心として略線対称の形状であり、
外周面と直交する方向より見て一個の前記ガイド突起に前記第一列のラグと前記第二列のラグが一個ずつ重なることを特徴とするゴムクローラ。
【請求項２】
前記第一列のラグと前記第二列のラグのゴムクローラ幅方向中央側の端部は外周面と直交する方向より見て一個の前記ガイド突起のみと重なることを特徴とする請求項１に記載のゴムクローラ。
【請求項３】
前記第一列のラグと前記第二列のラグは互いに半ピッチずれて配列されたことを特徴とする請求項１または請求項２に記載のゴムクローラ。
【請求項４】
前記第一列のラグと前記第二列のラグの長手方向両端部であり且つ
ゴムクローラ幅方向中央側の端部は外周面と直交する方向より見て前記ガイド突起に重なることを特徴とする請求項１〜請求項３の何れか１項に記載のゴムクローラ。
【請求項５】
前記ラグと前記ガイド突起とは互いに等しいピッチで配列されたことを特徴とする請求項１〜請求項４の何れか１項に記載のゴムクローラ。
【発明の詳細な説明】
【技術分野】
【０００１】
本発明はゴムクローラに関し、特に外周面に凸状のラグが設けられ、内周面には凸状のガイド突起が設けられた無端状のゴムクローラに関する。
【背景技術】
【０００２】
通常、ゴムクロ−ラはその無端状の長手方向に添ってスチ−ルコ−ドなどの強度部材が埋設され、外周面には凸状のラグが形成され、内周面にも凸状のガイド突起が形成されて地表などの走行面と接触する構造となっている（例えば、特許文献１参照）。
【０００３】
上記のようなゴムクローラにおいて、スプロケット等に巻き掛けられた際に内周面側のガイド突起が周囲の平面部分に比較して剛であるため、外周側ではガイド突起間に相当する投影部分での歪みが大きくなり、これに比較してガイド突起部分に相当する投影部分では剛性が高いため略平面に近い。
【０００４】
このため外周側のラグが２個のガイド突起投影領域に跨っていればラグの先端、すなわち最外周部分の歪みもまた大きくなる。これにより、スプロケット等への巻掛けの繰り返しによって起こる屈曲疲労でラグの根元近傍において亀裂が発生する虞があった。
【０００５】
さらにラグの先端がガイド突起の投影領域の外にある場合、スプロケット等への巻掛けの際にはガイド突起の投影領域にある場合に比較して曲率が大きくなるので、ラグ先端部の歪みは大きくなり、亀裂が発生する虞が大きくなる。
【０００６】
本発明は上記の従来技術に鑑みてなされたものであり、外周面に亀裂の発生しにくいゴムクロ−ラを提供することを目的としたものである。
【特許文献１】特開２０００−１７７５６８号公報
【特許文献２】特開２００４−２６８６５５号公報
【発明の開示】
【発明が解決しようとする課題】
【０００７】
本発明は上記事実を考慮し、外周面に亀裂の発生しにくいゴムクロ−ラを提供することを目的とする。
【課題を解決するための手段】
【０００８】
請求項１に記載のゴムクローラは、外周面に凸状のラグが周方向に第一列と第二列の２列にわたって同一ピッチで形成され、内周面には凸状のガイド突起が等間隔で設けられた無端状ゴム弾性体からなるゴムクローラであって、前記ラグは前記ゴムクローラの幅方向中央を中心として略線対称の形状であり、外周面と直交する方向より見て一個の前記ガイド突起に前記第一列のラグと前記第二列のラグが一個ずつ重なることを特徴とする。
【０００９】
上記構成の発明では、一個のラグは一個のガイド突起にのみ重なる構造としたことで、外周面に亀裂の発生しにくいゴムクロ−ラとすることができる。
【００１０】
請求項２に記載のゴムクローラは、前記第一列のラグと前記第二列のラグのゴムクローラ幅方向中央側の端部は外周面と直交する方向より見て一個の前記ガイド突起のみと重なることを特徴とする。
【００１１】
上記構成の発明では、スプロケット等への巻掛け時にゴムクローラの屈曲抵抗が減少するので、駆動力ロスの少ないゴムクローラとすることができる。
【００１２】
請求項３に記載のゴムクローラは、前記第一列のラグと前記第二列のラグは互いに半ピッチずれて配列されたことを特徴とする。
【００１３】
上記構成の発明では、ラグの千鳥配列により振動の少ないゴムクローラとすることができる。
【００１４】
請求項４に記載のゴムクローラは、前記第一列のラグと前記第二列のラグの長手方向両端部であり且つゴムクローラ幅方向中央側の端部は外周面と直交する方向より見て前記ガイド突起に重なることを特徴とする。
【００１５】
上記構成の発明では、ラグのゴムクローラ幅方向中央側の端部近傍における歪みの集中を防ぎ、亀裂の発生を防ぐことができる。
【００１６】
請求項５に記載のゴムクローラは、前記ラグと前記ガイド突起とは互いに等しいピッチで配列されたことを特徴とする。
【００１７】
上記構成の発明では、ラグおよびガイド突起形成の為のゴム注入時に、積層部の波打ち現象を防止し、歪みの少ないゴムクローラとすることができる。
【発明の効果】
【００１８】
本発明は上記構成としたので、外周面に亀裂の発生しにくいゴムクロ−ラとすることができる。
【発明を実施するための最良の形態】
【００１９】
＜実施例１＞
以下、本発明を実施形態をもって更に詳細に説明する。
【００２０】
図１には本発明の第１実施形態に係るゴムクローラが示されている。図１は本実施形態のゴムクローラを示す斜視図である。
【００２１】
図１に示すように芯金を持たない、いわゆる芯金レスタイプのゴムクローラ１０は、周方向に巻きかけられた抗張体としてのスチールコード１４をゴム１８で覆い、一体的に無端ベルト状のゴムクローラ１０として形成されている。
【００２２】
ゴムクローラ１０は外周側に接地面を形成する凸状のラグ１２が周方向に規則的に配列され、ゴムクローラ１０が駆動されるに従ってラグ１２が路面を捉え、装置本体を移動させる。
【００２３】
ゴムクローラ１０の内周側には凸状のガイド突起１６が規則的に配置されている。ゴムクローラ１０は装置本体側に設けられた図示しないスプロケットに巻き掛けられ、スプロケットの表面に設けられた駆動用凹部にガイド突起１６が係合し、回転するスプロケットから駆動力が伝達されることでゴムクローラ１０が駆動されている。
【００２４】
従来、内周面にガイド突起１１６を備えたゴムクローラ１００のラグ配置においては、図４、５に示すようにガイド突起１１６の投影部分（ガイド突起１１６に対応する外周面）では、ガイド突起１１６およびラグ１１２ともに他の部分に比較して剛性が高く、スプロケット等に巻掛けられる際に曲がりにくく、必然的に他の部分すなわち白矢印１０８部分などに歪みが集中し、外周面に亀裂が発生する虞がある。
【００２５】
さらにガイド突起１１６とラグ１１２の幅方向中央側端１１２Ａが重なる際には、図中斜線部で示すように単一のラグ１１２が複数のガイド突起１１６と重なっていた場合、剛性の高いガイド突起１１６投影部分とそれ以外の部分との間でラグ１１２自体に歪みが発生し、亀裂が入る虞がある。
【００２６】
本発明における実施例に係るゴムクローラのラグ配置について以下に説明する。
【００２７】
図２には本発明の第１実施形態に係るゴムクローラのラグ形状が示されている。図２（Ａ）には外周面から見たゴムクローラ１０の平面図が、図２（Ｂ）には幅方向から見たゴムクローラ１０の側面図が示されている。
【００２８】
図２（Ａ）に示すように、本発明の第１実施形態に係るゴムクローラ１０には幅方向に短いラグ１２Ａと、ラグ１２Ａに比較して幅方向に長いラグ１２Ｂとが周方向に交互に配列されている。
【００２９】
このときラグ１２Ａ、１２Ｂの幅方向中央側の端部１３Ａ、１３Ｂはガイド突起１６の投影部分（図中破線部分）に重なっている。端部１３Ａ、１３Ｂが剛性の高いガイド突起１６の投影部分に重なっているため、スプロケット等に巻き掛けられた際に他の部分と比較して曲がりが少なく、端部１３Ａ、１３Ｂに歪みが集中することがない。これによりラグ１２Ａ、１２Ｂの端部１３Ａ、１３Ｂにおける亀裂の発生を防ぐことができる。
【００３０】
また、一個のラグ１２Ａまたは１２Ｂが重なるのは一個のガイド突起１６のみであり、端部１３Ａ、１３Ｂ以外の部分、すなわち長手方向の側端部１１Ａ、１１Ｂを含めてもラグ１２Ａ、１２Ｂは複数のガイド突起１６と重なることはない。これにより側端部１１Ａ、１１Ｂがガイド突起１６と重なった際に生じる歪みにより、側端部１１Ａ、１１Ｂおよび近傍における亀裂の発生を防ぐことができる。
【００３１】
さらに、２列に設けられたラグ１２Ａ、１２Ｂの幅方向中央側の端部１３Ａ−１、１３Ｂ−１は同一のガイド突起１６−１（図中中央）に重なる位置に設けられる。これによりゴムクローラ１０の周方向において剛性の高い部分と低い部分とを略等間隔で配置できるので、スプロケット等への巻掛け時に発生する屈曲抵抗を減少させ、ゴムクローラ１０の駆動トルクを低減させることで駆動時のパワーロスを抑えることができる。
【００３２】
また、幅方向中央を中心として周方向に２列に配置されたラグ１２は左右対称ではなく２列のラグが千鳥配置、いわゆるピッチがずれていても構わない（図２では１／３ピッチずれているが、勿論これに限定されるものではない）。これにより一方の列に配置されたラグ１２と次のラグ１２との間の空白を、他方の列のラグ１２がカバーする構造となるので、空白部分で周期的に発生する振動を抑えることができる。
【００３３】
＜第２実施形態＞
本発明における他の実施例に係るゴムクローラのラグ配置について以下に説明する。
【００３４】
図３には本発明の第２実施形態に係るゴムクローラのラグ形状が示されている。図３（Ａ）には外周面から見たゴムクローラ２０の平面図が、図３（Ｂ）には幅方向から見たゴムクローラ２０の側面図が示されている。
【００３５】
図３（Ａ）に示すように、本発明の第２実施形態に係るゴムクローラ２０には幅方向に短いラグ１２Ａと、ラグ１２Ａに比較して幅方向に長いラグ１２Ｂとが周方向に交互に配列されている。
【００３６】
ラグ１２Ａ、１２Ｂの幅方向中央側の端部１３Ａ、１３Ｂはガイド突起１６の投影部分（図中破線部分）に重なっている。端部１３Ａ、１３Ｂが剛性の高いガイド突起１６の投影部分に重なっているため、スプロケット等に巻き掛けられた際に他の部分と比較して曲がりが少なく、端部１３Ａ、１３Ｂに歪みが集中することがない。これによりラグ１２Ａ、１２Ｂの端部１３Ａ、１３Ｂにおける亀裂の発生を防ぐことができる点は第１実施形態と同様である。
【００３７】
また、一個のラグ１２Ａまたは１２Ｂが重なるのは一個のガイド突起１６のみであり、端部１３Ａ、１３Ｂ以外の部分、すなわち長手方向の側端部１１Ａ、１１Ｂを含めてもラグ１２Ａ、１２Ｂは複数のガイド突起１６と重なることはなく、２列に設けられたラグ１２Ａ、１２Ｂの幅方向中央側の端部１３Ａ−１、１３Ｂ−１は同一のガイド突起１６−１（図中中央）に重なる位置に設けられ、幅方向中央を中心として周方向に２列に配置されたラグ１２は左右対称ではなく２列のラグが互いに１／３ピッチずれた、いわゆる千鳥配置となっている点もまた第１実施形態と同様である。なお図では１／３ピッチずれているが、勿論これに限定されるものではない。
【００３８】
本実施形態においてはラグ１２Ａ、１２Ｂの幅方向中央側の端部１３Ａ、１３Ｂの周方向における距離（図中白矢印２２）を大きく取るために、ラグ１２Ａ、１２Ｂの幅方向中央側の端部１３Ａ、１３Ｂの一端を周方向に短くカットしている。これによりゴムクローラ２０は幅方向中央近辺に泥が滞留しにくく、泥はけ性に優れた構成となっている。
【００３９】
＜第３実施形態＞
図６には本発明の第３実施形態に係るゴムクローラのラグとガイド突起との位置関係が示されている。
【００４０】
図６（Ａ）には従来のゴムクローラ１０１の側面図が、図６（Ｂ）には本実施形態のゴムクローラ２０の側面図が示されている。
【００４１】
従来、ラグ１１２およびガイド突起１１６をも含めてゴム１１８にて形成する際、ゴム１１８の注入時にスチールコード１１４に作用するゴム１１８の射出圧によってスチールコード１１４に波打ち現象が発生する虞があった。
【００４２】
これは図６（Ａ）に示すようにラグ１１２とガイド突起１１６とが周方向にずれている場合、ゴム１１８にてラグ１１２およびガイド突起１１６を形成する際、加硫時にゴム１１８の膨張によって発生するゴム１１８の流れを１３０Ａ／１３０Ｂとすると、スチールコード１１４を波打たせる方向にゴム１１８の流れが存在するために発生しやすい。
【００４３】
また波打ち現象はラグ１１２とガイド突起１１６とが重なる部位における両者の隙間の狭い範囲（図中丸内部）に集中する傾向があり、スプロケットなどへの巻掛け時にゴム１８の歪みが前記の部位に集中し易く、亀裂を生じる虞がある。
【００４４】
つまり図７（Ａ）に示すように、スプロケット等に巻き掛けられた際にゴムクローラ１０１外周面の狭い範囲（図中１０８Ａ）に歪みが集中するため、この部分に亀裂が生じやすい。
【００４５】
これに対して図６（Ｂ）に示すように、ラグ１２とガイド突起１６とをそれぞれの頂部において周方向で略一致させれば、加硫時のゴム１８膨張によるゴム１８の流れ３２Ａおよび３２Ｂはスチールコード１４を特定の方向に押すことなく周方向へ流れる。これにより図７（Ｂ）に示すように、ゴム１８の歪みは一箇所に集中することはなく、ゴムクローラ３０の外周面に亀裂の生じる虞はない。
【００４６】
以上、実施形態を挙げて本発明の実施の形態を説明したが、これらの実施形態は一例であり、要旨を逸脱しない範囲内で種々変更して実施できる。例えば芯金なしタイプのゴムクローラを例に挙げて説明したが、芯金を備えたタイプのゴムクローラであっても差し支えない。
【００４７】
また、本発明の権利範囲がこれらの実施形態に限定されず、本発明の要旨を逸脱しない範囲において種々なる態様で実施し得ることは言うまでもない。
【図面の簡単な説明】
【００４８】
【図１】本発明に係るゴムクローラを示す斜視図である。
【図２】本発明の第１実施形態に係るゴムクローラを示す平面図および側面図である。
【図３】本発明の第２実施形態に係るゴムクローラを示す平面図および側面図である。
【図４】従来のゴムクローラを示す平面図である。
【図５】従来のゴムクローラを示す平面図である。
【図６】本発明の第３実施形態に係るゴムクローラおよび従来のゴムクローラを示す側面図である。
【図７】本発明の第３実施形態に係るゴムクローラおよび従来のゴムクローラを示す側面図である。
【符号の説明】
【００４９】
１０    ゴムクローラ
１２    ラグ
１３    端部
１４    スチールコード
１６    ガイド突起
１８    ゴム
２０    ゴムクローラ
３０    ゴムクローラ
【図１】
2008265440.tif 000003
【図２】
2008265440.tif 000004
【図３】
2008265440.tif 000005
【図４】
2008265440.tif 000006
【図５】
2008265440.tif 000007
【図６】
2008265440.tif 000008
【図７】
2008265440.tif 000009